(57)【要約】【課題】ソケット本体に形成された電線挿入穴からソケット本体内へのチリやホコリの入り込みを防止する。【解決手段】ランプに設けられた口金ピンが接続される一対の接触金具９をソケット本体７内に収納し、これらの接触金具９に接続される電線が挿入される少なくとも２つの電線挿入穴１９をソケット本体７に形成し、電線挿入穴１９を覆うカバー２０をソケット本体７に設ける。電線が挿入された電線挿入穴１９をカバー２０によって覆うことにより、電線挿入穴１９の周囲にチリやホコリが溜まることを防止でき、溜まったチリやホコリが電線挿入穴１９の内周面とその電線挿入穴１９に挿入されている電線の外周面との間の隙間部分からソケット本体７内に入り込むことを防止できる。このため、ソケット本体７内に入り込んだチリやホコリの影響による一対の接触金具９の間での短絡発生が防止される。【選択図】　　　　図２
2004022457.tif 000002
【特許請求の範囲】
【請求項１】
ランプに設けられた口金ピンが接続される一対の接触金具が収納され、これらの接触金具に接続される電線が挿入される少なくとも２つの電線挿入穴が形成されたソケット本体と；
前記ソケット本体に設けられ、前記電線挿入穴と一端をこの電線挿入穴に挿入されて前記接触金具に接続された前記電線とを覆うことが可能なカバーと；
を具備するランプソケット。
【請求項２】
前記電線挿入穴を覆う位置に位置付けされた前記カバーに、前記電線挿入穴に挿入された少なくとも２本の前記電線を離反する方向へガイドするガイド部が設けられている請求項１記載のランプソケット。
【請求項３】
照明器具本体と；
前記照明器具本体に取付けられた請求項１又は２記載のランプソケットと；
前記ランプソケットに支持されたランプと；
を具備する照明器具。
【発明の詳細な説明】
【０００１】
【発明の属する技術分野】本発明は、直管型蛍光ランプを着脱可能に支持するランプソケット、及び、このランプソケットを備えて構成される照明器具に関する。
【０００２】
【従来の技術】従来、直管型蛍光ランプを備えた照明器具においては、その直管型蛍光ランプを着脱可能に支持する一対のランプソケットが対向して設けられている。ランプソケットは、樹脂により成形されソケット本体、ソケット本体内に収納された一対の接触金具等により構成されている。
【０００３】
対向して設けられた一対のランプソケットによって直管型蛍光ランプを支持したとき、直管型蛍光ランプの両端に設けられている口金ピンが接触金具に接触し、直管型蛍光ランプへの電力供給が可能となる。
【０００４】
また、ソケット本体の上部側の周壁には電線が挿入される少なくとも一対の電線挿入穴が形成され、電線挿入穴に挿入された電線の先端部が接触金具に接続される。
【０００５】
【発明が解決しようとする課題】ソケット本体に形成された電線挿入穴は露出状態とされており、電線が挿入されている電線挿入穴の周囲にチリやホコリが溜まる。溜まったチリやホコリは、電線挿入穴の内周面とその電線挿入穴に挿入されている電線の外周面との間の隙間部分から、僅かずつではあるがソケット本体内に入り込む。
【０００６】
チリやホコリがソケット本体内に入り込むと、一対の接触金具の間での短絡発生の原因になる。
【０００７】
このような短絡は、照明器具の小型化により接触金具間の絶縁距離が小さくなるにつれて発生しやすくなる。
【０００８】
本発明の目的は、ソケット本体に形成された電線挿入穴からソケット本体内へのチリやホコリの入り込みを防止できるランプソケット及び照明器具を提供することである。
【０００９】
【課題を解決するための手段】請求項１記載の発明のランプソケットは、ランプに設けられた口金ピンが接続される一対の接触金具が収納され、これらの接触金具に接続される電線が挿入される少なくとも２つの電線挿入穴が形成されたソケット本体と；前記ソケット本体に設けられ、前記電線挿入穴と一端をこの電線挿入穴に挿入されて前記接触金具に接続された前記電線とを覆うことが可能なカバーと；を具備する。
【００１０】
したがって、電線を電線挿入穴に挿入して接触金具に接続させた後、電線が挿入された電線挿入穴をその電線挿入穴に挿入されている電線と共にカバーによって覆うことにより、電線挿入穴の周囲にチリやホコリが溜まることが防止され、溜まったチリやホコリが電線挿入穴の内周面とその電線挿入穴に挿入されている電線の外周面との間の隙間部分からソケット本体内に入り込むことが防止される。このため、ソケット本体内に入り込んだチリやホコリの影響による一対の接触金具の間での短絡発生が防止される。
【００１１】
ここで、カバーをソケット本体に設ける場合、カバーをソケット本体に一体形成することが好ましい。カバーをソケット本体に一体形成することにより、部品点数の低減、取扱性の向上等を図ることができる。
【００１２】
ソケット本体に形成される電線挿入穴は、一対でもよいが、二灯用の照明器具において使用するランプソケットの場合には、二対形成する。この場合、一対の電線挿入穴には電源から電力を供給するための電線が挿入され、他の一対の電線挿入穴には隣接して配置されるランプソケットへ電力を供給する、所謂「渡り線」と称される電線が挿入される。
【００１３】
請求項２記載の発明は、請求項１記載のランプソケットにおいて、前記電線挿入穴を覆う位置に位置付けされた前記カバーに、前記電線挿入穴に挿入された少なくとも２本の前記電線を離反する方向へガイドするガイド部が設けられている。
【００１４】
したがって、電線挿入穴に挿入された電線は、カバーを電線挿入穴を覆う位置に位置付けしたとき、カバーのガイド部により離反する方向へガイドされるので、電線における絶縁皮膜が剥がされた心線部分が長くなってその部分が電線挿入穴から露出した状態となっている場合でも、絶縁皮膜が剥がされた心線部分が近接することを防止でき、十分な絶縁距離を確保できる。ランプソケットの小型化により、電線挿入穴の間隔が小さくなった場合には特に有効である。
【００１５】
請求項３記載の発明の照明器具は、照明器具本体と；前記照明器具本体に取付けられた請求項１又は２記載のランプソケットと；前記ランプソケットに支持されたランプと；を具備する。
【００１６】
したがって、請求項１又は２記載の作用を有するランプソケットを備えた照明器具を提供することができる。
【００１７】
【発明の実施の形態】本発明の一実施の形態を図面に基づいて説明する。図１は照明器具の全体構造を示す斜視図、図２はランプソケットを示す分解斜視図、図３はランプソケットを示す正面図、図４は接触金具を示す斜視図、図５は接触金具を示す正面図、図６は電線挿入部を示す平面図である。
【００１８】
本実施の形態の照明器具は図１に示すように、天井面に固定された鋼板製で長尺状の照明器具本体（図示せず）、照明器具本体に対して着脱可能に取付けられた反射板１、照明器具本体の長手方向の両端部に取付けられて反射板１に形成された開口２から下向きに挿通され、対向配置された一対のランプソケット３、ランプソケット３間に着脱可能に支持されたランプである直管型蛍光ランプ４等により構成されている。
【００１９】
ランプソケット３は図２に示すように、ボディ５と背面カバー６とから構成される合成樹脂製のソケット本体７、回転子８、一対の接触金具９（図４、５参照）等により構成されている。
【００２０】
ボディ５は、開口１０を有する正面壁１１と、この正面壁１１の周縁から後ろ向きに一体に突設された周壁１２とを備えている。さらに、このボディ５には、開口１０に連通して正面壁１１及び周壁１２の下端に開放する口金ピン出入り口１３が形成されている。この口金ピン出入り口１３からは、直管型蛍光ランプ４をランプソケット３に着脱する際に、直管型蛍光ランプ４の両端にそれぞれ設けられている二本の口金ピン１４（図３参照）が出し入れされる。
【００２１】
正面壁１１の裏面側には、一対の接触金具９が保持されている。これらの接触金具９は、直管型蛍光ランプ４の口金ピン１４が押圧されて接続されるとともに、後述する電線１５（図６参照）が差し込まれて接続される部材であり、図４及び図５に示すように、長尺状の銅板を折り曲げることにより形成され、口金ピン１４と押圧状態で接触する第１接続部９ａ、電線１５が差し込まれる第２接続部９ｂが形成されている。第２接続部９ｂでは、電線１５が穴部９ｃに差し込まれ、穴部９ｃに差し込まれた電線１５が折曲部９ｄの先端部で押圧されて抜け止めされることにより（図５（ｂ）参照）、接触金具９と電線１５との接続状態が維持される。
【００２２】
周壁１２の上辺中央部には電線挿入部１６が形成され、この電線挿入部１６を挟んだ両側位置には、ランプソケット３を照明器具本体の係合部に係合させる係合溝１７が形成されている。
【００２３】
電線挿入部１６は図２及び図６に示すように、周囲より凹んだ部分である凹部１８、凹部１８の底面部に形成された４個の電線挿入穴１９、カバー２０等により構成されている。
【００２４】
電線挿入穴１９は電線１５が挿入される穴であり、ボディ５に保持された接触金具９に形成された穴部９ｃと電線挿入穴１９とが上下位置で対向するように位置決めされている。これにより、電線挿入穴１９に挿入した電線１５をさらに押し込むことにより、その電線１５の先端部が穴部９ｃに差し込まれる構造となっている。
【００２５】
カバー２０は、ボディ５に一体形成されており、ヒンジ部２０ａを支点として凹部１８の上方を開放する位置（図６（ａ）参照）と、電線挿入穴１９を凹部１８と共に覆う位置（図６（ｂ）参照）とに回動自在に設けられている。図６（ｂ）に示した位置へ回動した場合には、カバー２０の可動側縁部の両端に形成されている固定部２０ｂが、凹部１８の外周囲に形成されている一対の固定部１８ａに弾性的に係合され、カバー２０はその位置で固定される。
【００２６】
カバー２０の可動側縁部には、一対の固定部２０ｂの間に位置するガイド部２１が形成されている。このガイド部２１は、カバー２０を図６（ｂ）に示す位置へ回動させたときに、一端側を電線挿入穴１９に挿入されて他端側を電線挿入部１６の外部に引き出されている二本の電線１５を離反する方向へガイドする。ガイド部２１の両側には、カバー２０の回動動作に伴って二本の電線１５を離反する方向へガイドする円弧状のガイド面２１ａが形成されている。
【００２７】
なお、４個の電線挿入穴１９のうちの奥側に位置する一対の電線挿入穴１９には、ランプソケット３間に支持されている直管型蛍光ランプ４に対して電源から電力を供給するための電線１５が挿入され、手前側に位置する一対の電線挿入穴１９には、このランプソケット３を二灯式の照明器具において使用した場合に、一灯目の直管管蛍光ランプのランプソケットから二灯目の直管型蛍光ランプのランプソケット側に電力を供給する、所謂「渡り線」と称される電線が挿入される。
【００２８】
また、接触金具９の長手方向に沿った位置に電線挿入穴１９が位置するため、接触金具９における第２接続部９ｂを、長尺状の板部材をその長手方向に沿って折り曲げることにより形成することができる。これにより、板状の材料から接触金具９のもとになる長尺状の板部材を形成するとき、その板状の材料における無駄になる部分を少なくすることができる。
【００２９】
背面カバー６には、連結用凸部２２と連結用凹部２３とが形成され、さらに、円形状リブ２４と回転子支持軸２５とが形成されている。
【００３０】
連結用凸部２２と連結用凹部２３とは、背面カバー６をボディ５に連結するためのもので、ボディ５における電線挿入部１６には連結用凸部２２が係合する係合穴２６が形成され、ボディ５における口金ピン出入り口１３が形成された側には連結用凹部２３に係合する係合凸部（図示せず）が形成されている。連結用凸部２２を係合穴２６に係合させ、及び、連結用凹部２３に係合凸部を係合させることにより、背面カバー６をボディ５に連結することができる。
【００３１】
円形状リブ２４と回転子支持軸２５とは回転子８を支持する部分であり、これらの円形状リブ２４と回転子支持軸２５とは同心に設けられ、背面カバー６をボディ５に連結したときに開口１０に対向する位置に形成されている。
【００３２】
円形状リブ２４には、略９０°の間隔をもって節度用凹部２７、２８が形成されている。略１８０°の間隔をもって位置する一対の節度用凹部２７は上下方向に対向して設けられており、これらの節度用凹部２７に対して略９０°ずれて位置する一対の節度用凹部２８は水平方向に対向して設けられている。
【００３３】
回転子支持軸２５は図２に示すように、円形状リブ２４の突出高さよりもかなり長く、その前端に開放するすり割り溝２９を有するとともに、前端に外側に張出すストッパ縁３０を有している。すり割り溝２９は、口金ピン１４が通過可能な幅に形成されている。
【００３４】
回転子８は、前後両端が開放された円筒部３１、一対の節度用凸部３２、フランジ部３３、一対の前開きスリット３４、一対の後開きスリット３５等を有している。
【００３５】
円筒部３１は、円形状リブ２４の内側に回転可能に嵌合できる径を有し、その前端部にフランジ部３３が径方向外側に一体に張出して形成されている。一対の前開きスリット３４は、円筒部３１の周方向に略１８０°の間隔をもって設けられ、円筒部３１の前端にそれぞれ開放され、これらの前開きスリット３４によりフランジ部３３は二分されている。節度用凸部３２は前開きスリット３４の延長線上に位置して略１８０°の間隔をもって形成され、回転子８が回転することによりいずれか一対の節度用凹部２７、２８に節度感をもって係脱される。
【００３６】
一対の後開きスリット３５は、前開きスリット３４に対して周方向へ略９０°ずらして形成され、円筒部３１の後端にそれぞれ開放されている。これらの後開きスリット３５により、前開きスリット３４及び節度用凸部３２を周方向略中央部に有する半円筒状部分が、フランジ部３３側を支点として内側に弾性変形できるようになっている。
【００３７】
回転子８の回転子支持軸２５への取付けは、回転子８の後端部を円形状リブ２４の内側に嵌合させるとともに、フランジ部３３の内周側を回転子支持軸２５のストッパ縁３０に引っ掛けることにより行われている。なお、回転子支持軸２５と回転子８とは、ストッパ縁３０とフランジ部３３とが引っ掛かっているだけで、その他の円筒部３１の内周面と回転子支持軸２５の外周面との間には隙間があり、この隙間により円筒部３１における半円筒状部分の弾性変形が許容され、節度用凸部３２の節度用凹部２７、２８への係脱が可能にされている。
【００３８】
このような構成において、ランプソケット３の組立ては、連結用凸部２２を係合穴２６に係合させるとともに連結用凹部２３に係合凸部を係合させることによりボディ５と背面カバー６とを連結し、開口１０から挿入した回転子８を回転子支持軸２５に取付けることにより行う。
【００３９】
このようにして組立てられたランプソケット３は、回転子８の前開きスリット３４とボディ５に形成されている口金ピン出入り口１３とが一直線上に配列され、照明器具の照明器具本体に取付けられる。照明器具本体に取付けられているランプソケット３に対して直管型蛍光ランプ４を取付ける場合には、口金ピン出入り口１３から前開きスリット３４内へ直管型蛍光ランプの口金ピン１４を挿入し（図３（ａ）参照）、挿入後にその直管型蛍光ランプ４を略９０°回転させる（図３（ｂ）参照）。この回転により、直管型蛍光ランプ４と共に回転子８が回転し、直管型蛍光ランプ４の二本の口金ピン１４は略水平位置に移動するとともに口金ピン１４が接触金具９に押圧状態で接触し、接触金具９を介して直管型蛍光ランプ４への電力供給が可能となる。
【００４０】
電線挿入部１６においては、図６（ｂ）に示すように、奥側に位置する一対の電線挿入穴１９に電線１５が挿入され、その電線１５の先端部は図４（ｂ）に示すように接触金具９の穴部９ｃに挿入されている。
【００４１】
ここで、電線挿入穴１９は、一端側を電線挿入穴１９に挿入されて他端側が電線挿入穴１９から引き出されている電線１５と共にカバー２０により覆われている。このため、電線挿入穴１９の周囲にチリやホコリが溜まることを防止でき、溜まったチリやホコリが電線挿入穴１９の内周面とその電線挿入穴１９に挿入されている電線１５の外周面との間の隙間部分からソケット本体７内に入り込むことを防止できる。このため、ソケット本体７内に入り込んだチリやホコリの影響で一対の接触金具９の間での短絡発生を防止できる。
【００４２】
電線挿入部１６から引き出されている二本の電線１５は、カバー２０のガイド部２１により離反する方向へガイドされている。このため、＋極側と−極側との二本の電線１５の間隔を十分に確保することができ、電線１５における絶縁皮膜が剥がされた心線部分が長くなってその部分が電線挿入穴１９から露出した状態となっている場合でも、絶縁皮膜が剥がされた心線部分が近接することを防止して十分な絶縁距離を確保することができる。
【００４３】
また、ガイド部２１によって二本の電線１５を離反する方向へガイドすることにより、奥側の電線挿入穴１９に挿入された電線１５を手前側に形成されている電線挿入穴１９の上方を通るように配線することができ、電線１５が挿入されていない電線挿入穴１９の上方をカバー２０のみではなく電線１５によっても覆うことができ、電線１５が挿入されていない電線挿入穴１９からのチリやホコリの入り込みをより確実に防止することができる。
【００４４】
【発明の効果】請求項１記載の発明のランプソケットによれば、電線が挿入された電線挿入穴をその電線挿入穴に挿入されている電線と共にカバーによって覆うことにより、電線挿入穴の周囲にチリやホコリが溜まることを防止でき、溜まったチリやホコリが電線挿入穴の内周面とその電線挿入穴に挿入されている電線の外周面との間の隙間部分からソケット本体内に入り込むことを防止でき、ソケット本体内に入り込んだチリやホコリの影響による一対の接触金具の間での短絡発生を防止できる。
【００４５】
請求項２記載の発明によれば、請求項１記載のランプソケットにおいて、前記電線挿入穴を覆う位置に位置付けされた前記カバーに、前記電線挿入穴に挿入された少なくとも２本の前記電線を離反する方向へガイドするガイド部が設けられているので、電線における絶縁皮膜が剥がされた心線部分が長くなってその部分が電線挿入穴から露出した状態となっている場合でも、絶縁皮膜が剥がされた心線部分が近接することを防止でき、十分な絶縁距離を確保できる。
【００４６】
請求項３記載の発明の照明器具によれば、照明器具本体に取付けられた請求項１又は２記載のランプソケットを有するので、請求項１又は２記載の発明と同じ作用、効果を奏することができる。
【図面の簡単な説明】
【図１】本発明の一実施の形態の照明器具の全体構造を示す斜視図である。
【図２】そのランプソケットを示す分解斜視図である。
【図３】（ａ）は直管型蛍光ランプの口金ピンが接触金具に接続されていない状態のランプソケットを示す正面図、（ｂ）は直管型蛍光ランプの口金ピンが接触金具に接続されている状態のランプソケットを示す正面図である。
【図４】接触金具を示す斜視図である。
【図５】（ａ）は電線が接続されていない状態の接触金具を示す正面図、（ｂ）は電線が接続されている状態の接触金具を示す正面図である。
【図６】（ａ）はカバーを開いている状態の電線挿入部を示す平面図、（ｂ）は電線挿入穴に挿入された電線をカバーで覆った状態の電線挿入部を示す平面図である。
【符号の説明】
３：ランプソケット、４：ランプ、７：ソケット本体、９：接触金具、１４：口金ビン、１５：電線、１９：電線挿入穴、２０：カバー、２１：ガイド部
【図１】
2004022457.tif 000003
【図２】
2004022457.tif 000004
【図３】
2004022457.tif 000005
【図４】
2004022457.tif 000006
【図５】
2004022457.tif 000007
【図６】
2004022457.tif 000008